(57)【要約】【課題】前扉に加えられる足蹴り等による不本意な衝撃力の中扉への伝達を阻止することのできる簡易な構成の自動販売機を提供する。【解決手段】前扉の金銭授受装置の側部に沿って設けられた壁状の補強部材に対峙させて中扉に設けられるチャネル部材を、上部チャネル体と下部チャネル体とに分け、特に下部チャネル体を上記上部チャネル体よりも前記中扉の内側に位置付けることにより、下部チャネル体と前記前扉に設けられた補強部材との間に所定の隙間を形成したことを特徴とする。【選択図】      図１
2004341917.tif 000002
【特許請求の範囲】
【請求項１】
内部に商品収納部を設けた販売機本体と、
この販売機本体の前面に開閉自在に設けられて前面パネル体の裏面に電装部品を取り付けた前扉と、
上記電装部品の側部に沿って前記前面パネル体の裏面に突設されて前記前扉における前記電装部品の取付部周囲の機械的強度を補強する補強部品と、
前記前扉の裏面側に開閉自在に設けられ、前記前扉の裏面側に突出した前記電装部品の収納空間を有すると共に、前記前扉との間の上記電装部品の取り付け領域を避けた領域に商品展示部を形成した中扉と、
前記補強部品に対峙させて上記中扉に設けられて該中扉における前記電装部品の収納空間周囲の機械的強度を補強するチャネル部材と
を具備し、
前記チャネル部材は、前記中扉の上部に設けられた上部チャネル体と、この上部チャネル体よりも前記中扉の内側に位置付けられて該中扉の下部に設けられた下部チャネル体とからなることを特徴とする自動販売機。
【請求項２】
前記チャネル部材は、その前面に前記商品展示部の背面板をなすパネル体を支持するものである請求項１に記載の自動販売機。
【請求項３】
前記中扉は、その裏面に前記販売機本体に設けられた商品収納部に所定の間隔を隔てて対峙する扉側商品収納部を設けたものである請求項１に記載の自動販売機。
【発明の詳細な説明】
【０００１】
【発明の属する技術分野】
本発明は、外部から加えられる不本意な衝撃から複数の商品を積み重ねて収容する商品収納部を効果的に保護することのできる簡易な構造の自動販売機に関する。
【０００２】
【関連する背景技術】
たばこ等の自動販売機は、概略的には図３に例示するようにその内部に複数の商品を積み重ねて収容する商品コラム（商品収納部）１を設けた販売機本体２の前面に、商品展示部や金銭授受装置を組み付けた前扉３を開閉自在に設けて構成される。また前扉３の裏面側に、前記販売機本体２に設けられた商品コラム（商品収納部）１に所定の間隔を隔てて対峙する扉側商品コラム４を設けることも行われている。前扉３の裏面側に扉側商品コラム４を設けた構造の自動販売機は、所定の間隔を隔てて対峙する商品コラム１，４間を商品（たばこ）の落下（払い出し）通路としたもので、中央シュート型の自動販売機と称される。
【０００３】
ところで前扉３には商品展示部や金銭授受装置が設けられることから、上述した扉側商品コラム４は、通常、図４に示すように前扉３の裏面に開閉自在に設けられた中扉５の裏面に組み付けられる。この中扉５は、前扉３の裏面に取り付けられた電装部品である金銭授受装置（ビルバリデータやコインメック）６を覆うと共に、この金銭授受装置６の取り付け領域を除く領域に、前記前扉３の前面パネルとの間に複数の商品展示棚７を備えた商品展示部を形成する役割を担う。ちなみに前扉３および中扉５は、販売機本体２に対して図５（ａ）に示すように位置付けられ、また図５（ｂ）に示すようにそれぞれ開閉される。
【０００４】
さて上述した如く構成された自動販売機においては、専ら、金銭授受装置６からの金銭の盗難行為を防止すると共に、前扉３の機械的強度を高めるべく、前扉３の裏面側に前記金銭授受装置６の周囲に沿って壁状の補強部材８が設けられる（例えば特許文献１，２を参照）。また一般的に金銭授受装置６の奥行き長が前記前扉３の奥行き長よりも長いことから、前記中扉５には前記金銭授受装置６を収容するための凹部空間９が設けられており、この凹部空間９の周囲で前記補強部材８に対峙する部位には中扉５の機械的強度を補強すると共に、金銭授受装置６を保護するためのチャネル部材１０が設けられる。
【０００５】
【特許文献１】
特開平２００１−１１８１２９号公報
【特許文献２】
特開平２００２−１１７４５０号公報
【０００６】
【発明が解決しようとする課題】
上述した如く前扉３に壁状の補強部材８を設け、また中扉５に上記補強部材８に対峙するチャネル部材１０を設けた構造の自動販売機においては、補強部材８およびチャネル部材１０によって前扉３および中扉５の機械的強度をそれぞれ十分に強くすることができる。しかしながら前扉３に足蹴り等による不本意な衝撃力が加えられると、その衝撃力が補強部材８からチャネル部材１０を介して中扉５にまで伝達すると言う問題がある。ちなみに中扉５に不本意な衝撃力が加わると、該中扉５の裏面側に設けられた商品コラム４に収納されている商品の収納姿勢が崩れて商品詰まりが発生したり、商品コラム４から商品が落下する等の不具合が生じる。
【０００７】
本発明はこのような事情を考慮してなされたもので、その目的は、前扉に加えられる足蹴り等による不本意な衝撃力の中扉への伝達を阻止することができ、例えば中扉の裏面側設けられている商品コラム内での商品詰まりや商品コラムからの商品の不本意な落下を未然に防ぐことのできる簡易な構成の自動販売機を提供することにある。
【０００８】
【課題を解決するための手段】
上述した目的を達成するべく本発明に係る自動販売機は、内部に商品収納部を設けた販売機本体の前面に、電装部品を取り付けた前扉を開閉自在に設けると共に、この前扉の裏面側に該前扉との間に商品展示部を形成した中扉を開閉自在に設け、
更に前記前扉の前面パネル体の裏面に、該前扉における前記電装部品の取付部周囲の機械的強度を補強する補強部品を該電装部品の側部に沿って突設し、一方、前記中扉には前記補強部品に対峙させて該中扉における前記電装部品の収納空間周囲の機械的強度を補強するチャネル部材を設けたものであって、
特に前記チャネル部材を、前記中扉の上部に設けられた上部チャネル体と、この上部チャネル体よりも前記中扉の内側に位置付けられて該中扉の下部に設けられた下部チャネル体とにより構成したことを特徴としている。
【０００９】
即ち、本発明に係る自動販売機は、前扉に設けられた補強部材に対峙させて中扉に設けられるチャネル部材を、上部チャネル体と下部チャネル体とに分け、特に下部チャネル体を上記上部チャネル体よりも前記中扉の内側に位置付けることにより前記前扉に設けられた補強部材との間に所定の隙間を形成するようにしたことを特徴としている。
【００１０】
ちなみに前記チャネル部材は、その前面に前記商品展示部の背面板をなすパネル体の取り付けに用いるための固定部材としても機能する。また前記中扉は、その裏面に前記販売機本体に設けられた商品収納部に所定の間隔を隔てて対峙する扉側商品収納部を設けたものからなり、前記チャネル部材は上記扉側商品収納部を支持する役割も担う。
【００１１】
【発明の実施の形態】
以下、図面を参照して本発明の一実施形態に係る自動販売機について、たばこの自動販売機を例に説明する。
この自動販売機は、概略的には図３〜図５を参照して説明したように、内部に商品コラム（商品収納部）１を設けた販売機本体２の前面に、金銭授受装置（電装部品）を組み付けた前扉３を開閉自在に設け、更にこの前扉３の裏面に該前扉３との間に商品展示部を形成する中扉５を設けた構造のものからなる。特にこの自動販売機は、中扉５の裏面側に前記商品コラム１に所定の間隔を隔てて対峙する扉側商品コラム４を設けて構成される。
【００１２】
このような構成の自動販売機においては、全体の奥行き長に対する制限から販売機本体１の背面板から中扉５までの奥行き長が自ずと決定される。これに対して前扉３に設けられる金銭授受装置６の奥行き長は、一般的に前扉３の奥行き長よりも長いことから、前記前扉３の裏面に開閉自在に設けられる中扉５には前記金銭授受装置６を収容するための凹部空間９が設けられる。特に金銭授受装置６は、前扉３のヒンジ側に組み付けられることから、中扉５における凹部空間９も該中扉５を開閉自在に支持するヒンジ側に設けられる。これ故、中扉５には、該中扉５の機械的強度を補強して前述した商品展示部７や扉側商品コラム４を組み付けるためのチャネル部材１０が、上記凹部空間９に沿って設けられる。
【００１３】
一方、前扉３には、前述したように金銭授受装置６を盗難行為等から保護すると共に、前扉３の機械的強度を補強するための壁状の補強部材８が該金銭授受装置６に沿って設けられる。この補強部材８は、前扉３のヒンジ側に組み付けられる金銭授受装置６と、前扉３と中扉５との間に形成される商品展示部７とを区画する仕切壁としての役割も担う。これ故、この前扉３に設けられた補強部材８および前記中扉５に設けられたチャネル部材１０は、前扉３に組み付けられた金銭授受装置６を基準として略同じ位置に設けられることになる。この結果、中扉５を閉じたとき、補強部材８とチャネル部材１０とは互いに対峙し、チャネル部材１０に固定された商品展示部７の背面板を介して機械的に接触する。
【００１４】
そこで本発明に係る自動販売機においては、図１（ａ）に中扉５の前面図を、また図１（ｂ）に矢視Ａ−Ａの断面構造を示すように、概略的には中扉５に設けるチャネル部材１０を、特に金銭授受装置６の突出部を収容する凹部空間９に沿って設けられるチャネル部材１０を、該中扉５の上部に設けられる上部チャネル体１１と下部チャネル体１２とに分離している。そして図１（ｂ）に示すように下部チャネル体１２を上部チャネル体１１よりも中扉５の内側に位置付けることで、これらの背面板１３，１４を段差をなして設けている。同時にチャネル部材１０に取り付ける商品展示部７の背面板についても上部背面板１３と下部背面板１４とに分け、上部背面板１３を上部チャネル体１１に取り付けると共に、下部背面板１４を下部チャネル体１２に取り付けるように構成されている。
【００１５】
即ち、中扉５に設けるチャネル部材１０を上下に分け、該中扉５の下側において前扉３に設けた補強部材８との間に所定の隙間が形成されるように、下部チャネル体１２を中扉５の奥まった位置に設けるようにしたことを特徴としている。ちなみにこのようなチャネル構造については、特に図示しないが、角寸法の異なる断面四角形状のチャネル部材を前記中扉５の主体面１５の縁部にそれぞれ取り付けて上部チャネル体１１および下部チャネル体１２とすれば良い。或いは中扉５の主体面１５の縁部を折曲加工してチャネル部材１０を設ける場合には、例えば図２に示すように上部チャネル体１１および下部チャネル体１２の中扉５の主体面１５からの突出高さｈ１，ｈ２を互いに異ならせて形成するようにすれば良い。
【００１６】
かくしてこのように中扉５に設けるチャネル部材１０を上下に分け、中扉５の下部に取り付けられる下部チャネル部材１２が、その上部に取り付けられる上部チャネル部材１１よりも奥まった位置となるように中扉５の内側に設ければ、図１（ｂ）に示すように前扉３に設けられた補強部材８との間に隙間を形成することが可能となる。すると中扉５を閉じ、更に前扉３を閉じて自動販売機を稼動させている状態において、前扉５の前面が足蹴りされて不本意な衝撃力が加わっても、その衝撃力の中扉５への伝達を抑えることができる。
【００１７】
即ち、自動販売機の前扉５が足蹴りされる部位は、専ら、自動販売機の床面（設置面）から略１ｍ程度のまでの高さであり、これよりも高い位置に強い衝撃力が加えられることは極めて希である。従って中扉５における下部チャネル体１２を設ける位置を、自動販売機の床面（設置面）から略１．２ｍ程度までの高さとしておけば、足蹴りにより加えられる強い衝撃力が補強部材８を介して下部チャネル体１２に直接伝達されることがなくなる。そしてその衝撃力は、補強部材８の撓みを伴いながら上部チャネル体１１に伝達されるだけとなる。この結果、中扉５に加わる衝撃力を緩和することができ、中扉５が振動するような不慮の事態を効果的に防ぐことが可能となる。そして中扉５の裏面側に設けられる扉側商品コラム４での商品詰まりや、該商品コラム４からの不本意な商品の落下等を未然に防ぐことが可能となる。
【００１８】
尚、上述した如く中扉５の上部と下部とにおいてチャネル部材１０の高さを変え、これに伴って前記商品展示部７の背面板の取り付け面に段差を形成しても、商品展示部７における商品見本の展示棚は、専ら、中扉５の上部領域に設けられ、その下部領域は広告板の取り付け等に利用されるので、商品デザイン性を損なう虞は殆どない。また仮に商品見本を展示する領域にてその背面板の取付面を変えたとしても、その段差部を展示棚で覆うことが可能なので、視覚的にそのデザイン性を損なうことがない。むしろ上段側の展示棚を下段側の展示棚よりも前方側に位置付けることができるので、商品見本の展示効果を高めることが可能となる等の二次的な効果も奏せられる。
【００１９】
尚、本発明は上述した実施形態に限定されるものではない。例えば上部チャネル体１１と下部チャネル体１２との段差については、前扉３に設けた補強部材８の撓み等を考慮して、該補強部材８との間に確実に隙間が形成されるような高さとして設定すれば十分である。また上部チャネル体１１と下部チャネル体１２とを切り換える自動販売機の床面からの高さ（中扉５の下端部からの高さ）については、商品展示部７のレイアウト（展示棚の位置）等に応じて設定すれば良いものである。その他、本発明はその要旨を逸脱しない範囲で種々変形して実施することができる。
【００２０】
【発明の効果】
以上説明したように本発明によれば、中扉に設けるチャネル部材を上下に分け、中扉の下部に設ける下部チャネル体を上部チャネル体よりも中扉の内側に凹ませて設けることで、前扉に設けられた補強部材と上記下部チャネル体との間に隙間が形成されるようにしている。従って前扉の下部が足蹴りされる等して不本意な衝撃力が加わった場合であっても、その衝撃力の中扉への伝達を効果的に抑制し、中扉の不本意な振動を防ぐことができる。従って足蹴り等に起因して生じる自動販売機の不具合を効果的に防止することができる等の実用上多大なる効果が奏せられる。
【図面の簡単な説明】
【図１】本発明の一実施形態に係る自動販売機の要部概略構成図。
【図２】中扉に設けられるチャネル部材の例を示す図。
【図３】自動販売機の概略的な構造を示す図。
【図４】図３に示す自動販売機の中扉を開けた状態を示す図。
【図５】図３に示す自動販売機の販売機本体、前扉、および中扉の関係を示す平面図。
【符号の説明】
１  商品コラム（商品収納部）
２  販売機本体
３  前扉
４  扉側商品コラム（商品収納部）
５  中扉
６  金銭授受装置（電装部品）
７  商品展示部
８  補強部材
１０  チャネル部材
１１  上部チャネル体
１２  下部チャネル体
１３  上部背面板
１４  下部背面板
【図１】
2004341917.tif 000003
【図２】
2004341917.tif 000004
【図３】
2004341917.tif 000005
【図４】
2004341917.tif 000006
【図５】
2004341917.tif 000007